(57)【要約】【課題】携帯型ヘッドセット間のアドホック通信を始めるシステム及び方法を提供する。【解決手段】プロセッサと、前記プロセッサに接続されると共に少なくとも１つの付加的な装置とのペアリングされた通信を提供するように前記プロセッサを設定するペアリング化通信モジュールを有する制御回路とを備える通信装置が提供される。前記制御回路は、第１の通信装置と現在ペアリングされていない第２の通信装置とのアドホック通信セッションを確立して維持するように前記プロセッサを設定するアドホック通信モジュールを更に有する。通信セッションは開かれた通信チャンネルを獲得することにより有効にされる。更に、通信装置とのアドホック通信セッションを提供するための方法が提供される。方法は、第１の通信装置の交信距離の中で第１の通信装置と現在ペアリングされていない第２の通信装置を識別し、前記第１の通信装置と前記第２の通信装置とをペアリングする。【選択図】図１
2012165375.tif 000002
【特許請求の範囲】
【請求項１】
少なくとも１つの付加的な装置との通信を提供する通信装置であって、
プロセッサと、
前記少なくとも１つの付加的な装置とのペアリングされた通信を提供するように前記プロセッサを設定するために前記プロセッサに動作可能に接続されたペアリング化通信モジュール、及び、第１の通信装置と現在ペアリングされていない第２の通信装置とのアドホック通信セッションを確立して維持するように前記プロセッサを設定するために前記プロセッサに動作可能に接続されたアドホック通信モジュールを有する制御回路と、
アドホック通信セッションを支援して前記第２の通信装置に通信信号を送信するために前記制御回路に動作可能に接続された送信器と、
前記アドホック通信セッションに関係する前記第２の通信装置から通信信号を受信するために前記制御回路に動作可能に接続された受信器と、
前記制御回路に動作可能に接続されたマイクロホンと、
前記制御回路に動作可能に接続されたスピーカーと
を具備し、
前記通信セッションが、開かれた通信チャンネルを獲得する
ことを特徴とする通信装置。
【請求項２】
前記通信装置が、Bluetooth（登録商標）方式のヘッドセットである
ことを特徴とする請求項１に記載の通信装置。
【請求項３】
前記ペアリング化通信モジュール及び前記アドホック通信モジュールが格納されたメモリを更に具備する
ことを特徴とする請求項１に記載の通信装置。
【請求項４】
少なくとも１つの通信装置とのアドホック通信セッションを提供するための方法であって、
前記方法が、
第１の通信装置の交信距離の中で、前記第１の通信装置と現在ペアリングされていない第２の通信装置を識別することと、
前記第１の通信装置と前記第２の通信装置とが通信することができる通信チャンネルを要求することと、
前記第１の通信装置と前記第２の通信装置とをペアリングすることと、
前記第２の通信装置から前記アドホック通信セッションに加わる承認を受け取ることと、
前記承認を受け取ると、前記第１の通信装置と前記第２の通信装置との間の通信のための通信チャンネルを開くことと、
前記アドホック通信セッションが終了した場合、前記第１の通信装置と前記第２の通信装置とを切り離すことと
を含むことを特徴とする方法。
【請求項５】
前記第１の通信装置の有効距離内の他の通信装置に関して問い合わせを行うことを更に含む
ことを特徴とする請求項４に記載の方法。
【請求項６】
前記第１の通信装置の有効距離内の１つ以上の通信装置を検出することを更に含む
ことを特徴とする請求項４に記載の方法。
【請求項７】
前記識別する段階が、前記第２の通信装置に識別情報を要求することを含む
ことを特徴とする請求項４に記載の方法。
【請求項８】
前記識別する段階が、前記第２の通信装置の適合性を判定するために、前記識別情報を記録のセットと比較することを更に含む
ことを特徴とする請求項７に記載の方法。
【請求項９】
いくらかの利用可能な通信装置の中から通信のための特定の通信装置を選択することを更に含む
ことを特徴とする請求項４に記載の方法。
【請求項１０】
前記通信チャンネルが、オーディオチャンネルである
ことを特徴とする請求項４に記載の方法。
【請求項１１】
前記アドホック通信セッションを始めることを更に含む
ことを特徴とする請求項４に記載の方法。
【請求項１２】
前記切り離す段階の後で、前記アドホック通信セッションに関連する接続及びペアリングパラメータを削除することを更に含む
ことを特徴とする請求項４に記載の方法。
【請求項１３】
前記切り離す段階の後で、前記アドホック通信セッションに関連する接続及びペアリングパラメータを保持することを更に含む
ことを特徴とする請求項４に記載の方法。
【請求項１４】
少なくとも１つの通信装置とのアドホック通信セッションに参加するための方法であって、
前記方法が、
前記第１の通信装置から第１の通信装置とのアドホック通信セッションに第２の通信装置が加わることを要求する通信信号を前記第２の通信装置において受け取ることと、
ユーザに前記通信信号を通知することと、
前記第２の通信装置から前記アドホック通信セッションに加わる承認を受け取ることと、
前記承認を受け取ると、前記第１の通信装置と前記第２の通信装置とをペアリングすることと、
前記第１の通信装置と前記第２の通信装置との間の通信のための通信チャンネルを開くことと、
前記アドホック通信セッションが終了した場合、前記第１の通信装置と前記第２の通信装置とを切り離すことと
を含むことを特徴とする方法。
【請求項１５】
第２の通信装置において検出可能モードを開始することを更に含む
ことを特徴とする請求項１４に記載の方法。
【請求項１６】
前記第１の通信装置に識別情報を要求することを更に含む
ことを特徴とする請求項１４に記載の方法。
【請求項１７】
前記識別情報に基づいて前記第１の通信装置の適合性を判定することを更に含む
ことを特徴とする請求項１６に記載の方法。
【請求項１８】
前記開く段階の後で、前記アドホック通信セッションを始めることを更に含む
ことを特徴とする請求項１４に記載の方法。
【発明の詳細な説明】
【技術分野】
【０００１】
この開示は、一般的に移動体通信装置の分野、そして特に、ヘッドセット間の移動体通信のためのシステム及び方法に関係する。
【背景技術】
【０００２】
移動体通信技術、特に携帯電話の広がりによって、個人は、通信が以前には不可能であった状況及び設定において相互に通信することが習慣になった。例えば、それは、現在、移動している間、そして乗用車及びオートバイのような自動車を個人的に操作する間にさえも、個人が電話で会話を行なうことは、一般的である。しかしながら、様々な地方と州の法および規則の命令に加えて、安全性のために、運転の間、電話で会話を行なうほとんどの個人は、様々なヘッドセットを使用してそうする。これらのヘッドセットは、一般的に、様々な方法でユーザの頭／耳に取り付けられると共に、ユーザの携帯電話との接続を維持する。そのヘッドセットは、ユーザが、ユーザの携帯電話を持つか、あるいは操作する必要性なしに、運転の間に電話で会話を行なうことを可能にする。ヘッドセットを携帯電話に接続するために様々な通信プロトコル及び方法が使用されることができるが、最も一般的なものは“Bluetooth（登録商標）（ブルートゥース）”方式無線技術標準である。
【発明の概要】
【発明が解決しようとする課題】
【０００３】
“Bluetooth（登録商標）”標準が効果的に携帯型ヘッドセットを携帯電話に接続する際に適用された一方、様々な他の可能性は十分に探究されなかった。例えば、“Bluetooth（登録商標）”方式を使用すると、相互の有効距離内の２つの携帯型ヘッドセットは、携帯電話の使用なしで、インターホンのような方式で通信することができる。しかしながら、現在の利用可能な“Bluetooth（登録商標）”方式ヘッドセットを使用して、そのような通信を遂行するためには、ヘッドセットは、特に、ユーザが実際に通信を始める前に、６０秒以上を必要とする手動の処理によって、相互にペアリングされなければならない。不都合な時間遅延に加えて、それぞれのユーザによる有意の入力及び調整を必要とする装置の手動のペアリングは難しく、もし不可能でない場合でも、ユーザ自身が運転している状況の中で達成することは難しい。従って、“Bluetooth（登録商標）”方式の携帯型ヘッドセットのユーザは、現在、交信距離の中にある他のヘッドセットユーザと通信するためにこの性能を効果的に利用する能力を、持っていない。
【０００４】
ここで説明された開示によって提供されることは、これらの考察及び他の考察に関することである。
【課題を解決するための手段】
【０００５】
携帯型ヘッドセット間のアドホック通信を開始するためのシステム及び方法に関する技術がここで提供される。１つの態様によれば、プロセッサと、前記プロセッサに接続されると共に、少なくとも１つの付加的な装置とのペアリングされた通信を提供するように前記プロセッサを設定するペアリング化通信モジュールを有する制御回路とを具備する通信装置が提供される。前記制御回路は、第１の通信装置と現在ペアリングされていない第２の通信装置とのアドホック通信セッションを確立して維持するように前記プロセッサを設定するアドホック通信モジュールを更に有する。更に、前記制御回路は、アドホック通信セッションを支援して前記第２の通信装置に通信信号を送信するために前記制御回路に接続された送信器と、前記アドホック通信セッションに関係する前記第２の通信装置から通信信号を受信するために前記制御回路に接続された受信器とを備える。マイクロホン及びスピーカーが、更に、前記制御回路に接続されている。言及された（参照を付けられた：referenced）通信セッションは、開かれた通信チャンネルを獲得することによって有効にされる。
【０００６】
別の態様によれば、少なくとも１つの通信装置とのアドホック通信セッションを提供するための方法が提供される。その方法は、第１の通信装置の交信距離の中で、前記第１の通信装置と現在ペアリングされていない第２の通信装置を識別することから始まる。その方法は、前記第１の通信装置と前記第２の通信装置とが通信することができる通信チャンネルを要求し、そして、前記第１の通信装置と前記第２の通信装置とをペアリングすることによって継続する。その場合に、前記第２の通信装置から、前記アドホック通信セッションに加わる承認が受信される。前記承認を受け取ると、前記第１の通信装置と前記第２の通信装置との間の通信のための通信チャンネルが開かれる。前記アドホック通信セッションが終了した場合、前記第１の通信装置と前記第２の通信装置とは切り離される。
【０００７】
更に別の態様によれば、少なくとも１つの通信装置とのアドホック通信セッションに参加するための方法が提供される。その方法は、第１の通信装置とのアドホック通信セッションに第２の通信装置が加わることを要求する前記第１の通信装置から通信信号を前記第２の通信装置において受け取ると共に、ユーザに前記通信信号を通知することから始まる。その方法は、前記第２の通信装置から、前記アドホック通信セッションに加わる承認を受け取ると共に、次に、前記第１の通信装置と前記第２の通信装置とをペアリングすることによって継続する。その場合に、前記第１の通信装置と前記第２の通信装置との間の通信のための通信チャンネルが開かれる。前記アドホック通信セッションが終了した場合、前記第１の通信装置と前記第２の通信装置とは切り離される。
【０００８】
これら及び他の態様、特徴、及び、利点は、本発明のある実施例の付随の説明から認識され得る。
【図面の簡単な説明】
【０００９】
【図１】１つの代表的な実施例による通信装置の高水準の図である。
【図２Ａ】１つの代表的な実施例によるアドホック通信セッションを提供するための方法を例証するフローチャートである。
【図２Ｂ】１つの代表的な実施例によるアドホック通信セッションに参加するための方法を例証するフローチャートである。
【発明を実施するための形態】
【００１０】
下記の詳細な説明は、携帯型ヘッドセット間のアドホック通信を開始するためのシステム及び方法を対象とする。これについて一部分を構成すると共に、特定の実施例、構成、及び例を通して実例として示される添付図面が参照される。
【００１１】
ここで図面を参照すると、いくらかの図面を通して同様の参照符号が同様の構成要素を示し、必ずしも、図面を参照して説明及び例証される全てのコンポーネント及び／またはステップが、全ての実施例、または構成のために必要とされるとは限らない、ということが理解されるべきでる。図１は、通信装置１０２（第１の通信装置）の代表的な構成を例証する高水準の図であり、通信装置１０２は、他の通信プロトコル及び通信方法を使用する他の通信ヘッドセットが同様に代用されるであろうが、好ましくは“Bluetooth（登録商標）（ブルートゥース）”方式通信ヘッドセットである。通信装置１０２は、そのようなペアリングは、本開示の状況においては不必要であると共に、本開示の状況とは無関係であるけれども、多くの場合、携帯電話（図示せず）のような移動体通信装置とペアリングされる。通信装置１０２は、携帯型ヘッドセット間のアドホック通信を可能にする働きをする様々なハードウェア及びソフトウェアコンポーネントに動作可能に接続される制御回路１０６を具備する。
【００１２】
制御回路１０６は、制御回路１０６上のメモリ１２２に格納されるペアリング化通信（ペアリングされた通信：paired communication）モジュール１１２を備える。代替の構成において、ペアリング化通信モジュール１１２は、実際には、制御回路１０６に動作可能に接続された（ハードディスクドライブ、フラッシュメモリー等のような）あらゆる記憶媒体に格納され得る。ペアリング化通信モジュール１１２は、プロセッサ１１４において実行されるソフトウェアプログラムまたは命令のセットを含むことができる。下記で更に詳細に説明されるように、実行の間、ペアリング化通信モジュール１１２は、通信装置１０４のような少なくとも１つの付加的な装置とのペアリングされた通信を提供するように、プロセッサ１１４を設定する。ペアリングが従来の“Bluetooth（登録商標）”方式プロトコルによって遂行され得る一方、ペアリングを開始して達成する方法は、ここで説明された通りであることに留意すべきである。更に、図１が、通信装置１０２に関して提供される詳細の程度まで、通信装置１０４の構造を完全には説明しない一方、通信装置１０４は、（図１に描写されたような）通信装置１０２の構造及び機能と、実質的に同じ構造及び機能を有することができるということが理解されるべきである。大部分の構成において、通信装置１０２及び通信装置１０４は、実質的に同様の装置（それは好ましくは“Bluetooth（登録商標）”方式通信ヘッドセットである）であろうということが予測される。
【００１３】
制御回路１０６は、更に、制御回路１０６上のメモリ１２２に格納されるアドホック通信モジュール１２０を備える。代替の構成において、アドホック通信モジュール１２０は、実際には、制御回路１０６に動作可能に接続された（ハードディスクドライブ、フラッシュメモリー等のような）あらゆる記憶媒体に格納され得る。アドホック通信モジュール１２０は、プロセッサ１１４において実行されるソフトウェアプログラムまたは命令のセットを含むことができるか、または、ハードウェアコンポーネントもしくはハードウェアとソフトウェアの組み合わせを含むことができる。下記で更に詳細に説明されるように、実行／動作の間、アドホック通信モジュール１２０は、通信装置１０４（第２の通信装置）のような第２の通信装置とのアドホック通信セッションを確立して維持するように、プロセッサ１１４を設定する。
【００１４】
同様に制御回路１０６に接続されているのは、送信器１０８及び受信器１１０である。送信器１０８は、好ましくは、“Bluetooth（登録商標）”方式通信信号のような通信信号を送信することが可能である、あらゆる装置である。実際には、制御回路１０６から命令を受け取ると、送信器１０８は、通信信号をいくらか他の装置に送信することができる。１つの構成において、送信器１０８は、アドホック通信セッションを開始し、及び／または、維持するように、通信信号を第２の通信装置１０４に送信する。
【００１５】
受信器１１０は、好ましくは“Bluetooth（登録商標）”方式通信信号のような通信信号を受信することが可能である、あらゆる装置である。１つの構成において、受信器は、あらゆる入って来る通信信号を受信するために、絶えず活性化される。他の構成において、受信器は、通信装置の１０２の電力消費量を減少させるために、制御回路１０６からの命令に応答して定期的に非活性化される可能性がある。送信器１０８及び受信器１１０が個別の構成要素として描写される一方、当業者には知られているように、代替の構成において、それらの機能性が、送信器及び受信器の両方として動作する１つのトランシーバに併有され得ることに留意すべきである。
【００１６】
送信器１０８及び受信器１１０は従来の構造であり得ることが、同じく留意されるべきである。
【００１７】
制御回路１０６に同様に接続されているのは、マイクロホン１１６、及びスピーカー１１８である。マイクロホン１１６は、通信装置１０２を直接的に囲むエリアから可聴音を受け取る。好ましくは、マイクロホン１１６は、通信装置１０２のユーザの口語の音声（話し声：spoken voice）を受け取るように構成される。マイクロホンによって受け取られた可聴音は、信号に変換され、そして、制御回路１０６に送信されると共に、そこで、それらは、送信器１０８によって、通信装置１０４のような外部装置に、通信信号として、次々に送信される。
【００１８】
スピーカー１１８は、装置１０２から受信された、あるいは装置１０２において発生した通信信号を変換し、可聴音（audio tone）を出力する（放出する：project）ことが可能である、あらゆる装置である。１つの構成において、スピーカー１１８は、ユーザの耳の中に、もしくは直接ユーザの耳の上に留まる（rest）ように組み立てられる１つ以上のイヤホン（earbud）またはイヤマフ（earmuff）として構成される。代替の構成において、スピーカー１１８は、スピーカーフォンのように使用するための、そして囲まれたエリアにおいて音（tone）を出力する（放出する：project）ための、ラウドスピーカーであり得る。スピーカー１１８は、制御回路１０６からアナログ通信信号を受信し、そして、ユーザに対して可聴音としてそれらを伝える。下記で更に詳細に説明されるように、言及された（参照を付けられた：referenced）音は、（例えば様々なシステム通知に関する通知音のように）制御回路において発生することができるか、及び／または、（例えば会話中のように）第２の通信装置１０４において発生することができる。
【００１９】
ここで図２Ａを参照すると、ここに開示された少なくとも１つの実施例による携帯型ヘッドセット間のアドホック通信セッションを提供するための方法の広い態様を例証する手順（routine）２００を示すフローチャートが説明される。ここで説明された論理演算のいくらかは、（１）一連のコンピュータで実行された動作または通信装置１０２上で走る（動作する）プログラムモジュールとして、及び／または、（２）通信装置１０２の中の相互接続された機械論理回路または機械論理回路モジュールとして、実装されるということが、認識されるべきである。その実装は、装置の必要条件（例えば、サイズ、エネルギー、消費量、性能等）に依存している選択に関わる問題である。従って、ここで説明された論理演算は、操作、構造上の装置、動作、またはモジュールとして、さまざまに参照される。様々なこれらの操作、構造上の装置、動作、またはモジュールは、ソフトウェアで、ファームウェアで、特殊用途のデジタルロジックで、そしてそれらのあらゆる組み合わせで、実装され得る。図において示されると共に、ここで説明されるより、更に多くの操作、または、更に少ない操作が実行され得るということが同様に認識されるべきである。これらの操作は、同様に、ここで説明された操作と異なる順番で実行され得る。
【００２０】
その処理は、通信装置１０２が通信装置の１０２の有効距離内の他の通信装置に関して問い合わせを行うステップ２０２から始まる。例えば、制御回路１０６は、受信器１１０が他の通信装置によって送信された受信通知（acknowledgement）／応答（response）信号を受け取る間、問い合わせ信号を送信するように送信器１０８に指示する。他の通信プロトコル及び方法が同様に適用され得るが、１つの構成において、“Bluetooth（登録商標）”方式無線プロトコルがこの問い合わせ（調査：inquiry）のために利用される。別の構成において、下記で説明される様々なステップを容易にするために、通信装置１０２は、問い合わせ信号の送信以外の方法を利用し得る。それから、ステップ２０４において、制御回路１０６は、上記で説明された送信器１０８及び受信器１１０を使用する交信距離の中で、（“Bluetooth（登録商標）”方式ヘッドセットのような）他の（複数の）通信装置を検出する。ステップ２０６で、制御回路１０６は、通信装置１０２の交信距離の中にあると共に、現在通信装置１０２とペアリングされていない１つ以上の検出された装置を識別する。１つの構成において、制御回路１０６は、あらゆる／全ての検出された“Bluetooth（登録商標）”方式装置の（一意の識別子を提供する）ＢＤアドレス（BD Address）、及び／または、（装置の種類に関して情報を提供する）装置レコードのクラス（Class of Device record）を要求するために、送信器１０８及び受信器１１０を利用し得る。この情報を使って、制御回路１０６は、通信装置１０２とのアドホック通信セッションに従事することが可能である（または可能でない）特定の装置を識別し得る。一例として、制御回路１０６は、通信装置１０２とのアドホック通信セッションに従事することが可能である全ての装置に関する（ＢＤアドレス、及び装置レコードのクラスのような）識別情報を含むデータベース１５０に動作可能に接続されることができる。１つの構成において、データベース１５０に含まれる識別情報は、最近公開（release）された装置の識別情報を反映するために、（例えば、通信装置１０２を、ネットワーク接続を有するか、もしくは更新された識別情報を有する別の装置とつなぐことによって）更新され得る。別の構成において、適合性がある装置に関する識別情報を生成するために、鍵生成方式（key generating scheme）が使用され得ると共に、プロセッサ１１４は、受け取られた鍵を解読するために復号器（デコーダ：decoder）を利用し、そして与えられた装置の適合性を判定し得る。受け取られた、あらゆる／全ての検出された“Bluetooth（登録商標）”方式装置の（複数の）ＢＤアドレス、及び／または（複数の）装置レコードのクラスを比較することによって、制御回路は、特定の装置が通信装置１０２とのアドホック通信セッションに従事することが可能であるか、または可能でないかを、迅速に判定し得る。
【００２１】
有効距離内に、通信装置１０２とのアドホック通信セッションに従事することが可能である複数の装置が存在する場合には、様々なアプローチが可能であることに留意すべきである。１つの構成において、制御回路１０６は、アドホック通信のために任意に１つの装置を選択し得る。別の構成において、制御回路１０６は、最も大きい信号強度を有する装置を選択し得る。更に別の構成では、制御回路は、ユーザがその装置とアドホック通信セッションに従事することを望む、有効距離内の様々な適合性がある装置の内のいずれかを、ユーザが選択することを可能にすることができる。例えば、制御回路１０６は、スピーカー１１８を通して、有効距離内で適合性がある装置のリストを出力し、そして、ユーザが１つを選択することを可能にし得る。その代りに、制御回路１０６は、例えば制御回路１０６と通信している表示装置（図示せず）を通して、そのような装置のリストをユーザに表示し得る。その場合に、ユーザは、ボタンを押すこと、音声命令（voice command）等のようなあらゆる数の入力方式を使用することによって、彼／彼女が通信することを望む装置を選択し得る。
【００２２】
適合性がある装置を識別すると、ステップ２０８において、制御回路１０６は、獲得され得る通信チャンネルを要求すると共に、それを通して、アドホック通信セッションが伝導され得る。１つの構成において、特定のチャンネル番号が、“Bluetooth（登録商標） RFCOMM（無線周波数通信）”トランスポートプロトコルを使用して、アドホック通信に対して指定され得ると共に、送信器１０８及び受信器１１０を使用して、制御回路１０６は、このチャンネル番号を、“Bluetooth（登録商標） Service Discovery Protocol（“Bluetooth（登録商標）”方式ＳＤＰ）”を使用して、（通信装置１０４のような）識別された適合性がある装置に要求することができる。その場合に、ペアリング処理がステップ２０８におけるチャンネル要求により開始され、ステップ２１０において、通信装置１０２、１０４はペアリングされる。
【００２３】
一度通信装置１０２、１０４の間のペアリング及びＳＤＰ発見（SDP discovery）が成功すると、第１の通信装置１０２は、その制御回路１０６及び“RFCOMM”トランスポートプロトコルを使用して、第２の通信装置１０４がアドホック通信セッションに加わることを要求する。ステップ２１２において、第１の通信装置１０２は、第２の通信装置１０４から、第２の通信装置１０４がアドホック通信セッションに加わることに同意することを示している承認信号を受信する。それから、ステップ２１４において、制御回路１０６は、第１の通信装置と第２の通信装置との間の通信のために、オーディオチャンネルのような指定された通信チャンネルを開く。１つの構成において、オーディオチャンネルは、“Bluetooth（登録商標） Synchronous Connection Oriented：（“Bluetooth（登録商標）”方式ＳＯＣ）”リンクとして機能し得る。この時点において、アドホック通信セッションが始まると共に、それぞれの通信装置１０２、１０４を操作するユーザは、それらの装置の間の“Bluetooth（登録商標）”方式接続が完全な状態を維持する限り、相互に通信し得る。
【００２４】
ステップ２１６において、（例えば、ある電話の相手が電話を切るか、もしくは有効距離内から移動して出る場合のように、）通信セッションの切断と同時に（通信セッションが切れると）、通信装置１０２、１０４は、相互から切り離されると共に、アドホック通信セッションに関連する全ての接続及びペアリングパラメータは、それぞれの通信装置１０２、１０４から削除される。そのようにすると、それぞれの装置は、他の通信装置とのアドホック通信セッションに従事し得る。別の構成において、アドホック通信セッションに関連するあらゆる／全ての接続及びペアリングパラメータは削除されず、そして、それらは、将来のアドホック通信セッションを容易にするために、通信装置１０２、１０４の内の１つまたは両方によって維持される。
【００２５】
ここで図２Ｂを参照すると、ここに開示された少なくとも１つの実施例による携帯型ヘッドセット間のアドホック通信セッションに参加するための方法の広い態様を例証する手順（routine）２１８を示すフローチャートが説明される。図１において明白に描写されないが、通信装置１０４は、図１において描写されたような通信装置１０２の構造及び工程と、実質的に同様の構造及び工程を有することに留意すべきである。
【００２６】
その処理は、通信装置１０４の制御回路が“Bluetooth（登録商標） discoverable mode”のような検出可能モード（discoverable mode）を開始するステップ２２０から始まる。そのようにする際に、通信装置１０４は、他の装置が通信装置１０４を発見することを可能にする発見信号（discovery signal）を送信する。ステップ２２２において、通信装置１０４は、通信装置１０２から、通信装置１０４がアドホック通信セッションに通信装置１０４を加えることを要求する通信信号を受信する。そして、ステップ２２４において、通信装置１０４の制御回路は、アドホック通信セッションに従事することに関して、通信装置１０２との通信装置１０４の適合性を判定する。１つの構成において、通信装置１０４の制御回路は、通信装置１０２のＢＤアドレス（BD Address）及び／または装置レコードのクラス（Class of Device record）を要求するために、その送信器及び受信器を利用し得る。この情報を使用して、制御回路は、上記で詳細に説明されたように、通信装置１０４が、アドホック通信セッションに従事することに関して、通信装置１０２と適合性があるかどうかを判定し得る。
【００２７】
通信装置１０２がアドホック通信に関して通信装置１０４と適合性があることを判定すると、ステップ２２６において、通信装置１０４の制御回路は、アドホック通信に関する入って来る要求をユーザに通知する。この通知は、例えば可聴音（audio tone）または表示画面への視覚的なプロンプト（ビジュアルプロンプト：visual prompt）のような、あらゆる数の方法で提供され得る。その場合に、そのユーザは、例えば音声命令及び／またはボタンを押すことのような、あらゆる数の入力を提供することによって、アドホック通信要求を受け入れる（または拒否する）ことができる。代替の構成において、ユーザは、装置が全ての入って来るアドホック通信要求を受け入れるか、または拒否することができるように、通信装置１０４を設定することができる。更に別の構成において、ユーザは、装置が特定のユーザによってもたらされる要求を自動化された方式もしくは自動的な方式で受け入れる／拒否することができるように、通信装置１０４を設定することができる。一例として、ユーザは、一人のユーザからの要求を自動的に受け入れる、別のユーザからの要求を自動的に拒否する、及び／または、未知の相手からの要求を受信するときにユーザを刺激する（ユーザに通知する：prompt）ように、彼の／彼女の通信装置１０４を設定することができる。
【００２８】
一度、そのユーザが入って来るアドホック通信要求を受け入れたならば、ステップ２２８において、上記で詳細に説明されたように、２つの装置の間のペアリング処理は完了する。ステップ２３０において、通信装置１０２とのオーディオチャンネルが開かれ、そして、上記で詳細に説明されたように、アドホック通信セッションが始まる。同様に上記で詳細に説明されたように、最終的に、ステップ２３２において、通信セッションの切断と同時に（通信セッションが切れると）、通信装置１０２、１０４は、相互から切り離されると共に、アドホック通信セッションに関連する全ての接続及びペアリングパラメータは、それぞれの通信装置１０２、１０４から削除される。同様に上記で詳細に説明されたように、別の構成において、アドホック通信セッションに関連するあらゆる／全ての接続及びペアリングパラメータは削除されず、そして、それらは、将来のアドホック通信セッションを容易にするために、通信装置１０２、１０４の内の１つまたは両方によって維持される。
【００２９】
ここで説明された論理演算のいくらかは、（１）一連のコンピュータで実行された動作または通信装置１０４上で走る（動作する）プログラムモジュールとして、及び／または、（２）通信装置１０４の中の相互接続された機械論理回路または機械論理回路モジュールとして、実装されるということが、認識されるべきである。その実装は、装置の性能及び他の必要条件に依存している選択に関わる問題である。従って、ここで説明された論理演算は、操作、構造上の装置、動作、またはモジュールとして、さまざまに参照される。様々なこれらの操作、構造上の装置、動作、またはモジュールは、ソフトウェアで、ファームウェアで、特殊用途のデジタルロジックで、そしてそれらのあらゆる組み合わせで、実装され得る。図において示されると共に、ここで説明されるより、更に多くの操作、または、更に少ない操作が実行され得るということが同様に認識されるべきである。これらの操作は、同様に、ここで説明された操作と異なる順番で実行され得る。
【００３０】
上記で説明された主題は、実例のみとして提供され、そして、限定するものとして解釈されるべきでない。ここで説明された主題に対して、様々な修正及び変更が、例証されると共に説明された一例の実施例及び応用例に従わずに、そして特許請求の範囲に記載される本発明の真の精神及び範囲からはずれずに行われ得る。
【符号の説明】
【００３１】
１０２    通信装置
１０４    通信装置
１０６    制御回路
１０８    送信器
１１０    受信器
１１２    ペアリング化通信モジュール
１１４    プロセッサ
１１６    マイクロホン
１１８    スピーカー
１２０    アドホック通信モジュール
１２２    メモリ
１５０    データベース
【図１】
2012165375.tif 000003
【図２Ａ】
2012165375.tif 000004
【図２Ｂ】
2012165375.tif 000005